(57)【特許請求の範囲】
【請求項１】
透光性を有するパイプを使用して光源からの光を遠方に導きつつその経路途中で光を徐々に放出するライトガイド型照明装置において、パイプの開放端部と光源部の開放された投光用開口部とを気密的に接合して防水構造で且つ光源部の内部空間とパイプ内部空間とが連通したものとするとともに、上記光源部はその内部空間と外部とを連通させる通気口を備えていることを特徴とするライトガイド型照明装置。
【請求項２】
上記パイプは周方向において限定した方向に光を出射する反射板を備えたものであるとともに上記パイプはその軸回りに回転自在に保持されていることを特徴とする請求項１記載のライトガイド型照明装置。
【発明の詳細な説明】
【０００１】
【発明の属する技術分野】
本発明は透光性を有するパイプを使用して光源からの光を遠方に導きつつその経路途中で光を徐々に放出するライトガイド型照明装置、殊に防雨型のものに関する。
【０００２】
【従来の技術】
透光性を有するパイプをライトガイドとしているライトガイド型照明装置において、防雨型のものでは、図７に示すように、相互に連結される光源部２とパイプ１のうち、光源部２については投光用開口部にガラス２５をはめ込んだりすることでそれ自身で密閉構造をとらせておき、パイプ１はその両端部に透光性のあるキャップ１１を接着剤で固定して密閉構造として、光源部２に連結部材４を介して連結したり、あるいは図８に示すように、密閉構造となっている光源部２にパイプ１のフランジ１５を設けた開放端を差し込んで防水を保つ状態で連結していた。
【０００３】
【発明が解決しようとする課題】
ところで、パイプを密閉してしまうと、温度変化による材料の膨張伸縮作用によってパイプとパイプ端部に接着しているキャップとの間に応力が働いて、接着剤の割れや剥がれが生じる。また、パイプの端部にキャップを接着する作業は手間がかかって高コストとなっている上に、接着面の見た目も悪いという問題を有している。
【０００４】
また、パイプの端部に接着固定したフランジを光源部にねじなどで連結すると、パイプの発光面（周方向における照射方向）の角度を後々変更できない問題があった。
【０００５】
本発明はこのような点に鑑みなされたものであって、その目的とするところは防水構造を簡便に且つ問題なく得ることができるライトガイド照明装置を提供するにあり、また、防水構造を保ちながら照射方向を変えられるようにしたライトガイド型照明装置を提供するにある。
【０００６】
【課題を解決するための手段】
しかして本発明は、透光性を有するパイプを使用して光源からの光を遠方に導きつつその経路途中で光を徐々に放出するライトガイド型照明装置において、パイプの開放端部と光源部の開放された投光用開口部とを気密的に接合して防水構造で且つ光源部の内部空間とパイプ内部空間とが連通したものとするとともに、上記光源部はその内部空間と外部とを連通させる通気口を備えていることに特徴を有している。
【０００７】
パイプは周方向において限定した方向に光を出射する反射板を備えているとともにパイプをその軸回りに回転自在に保持しておくとよい。
【０００８】
【発明の実施の形態】
以下本発明を実施の形態の一例に基づいて詳述すると、この照明装置は、図１に示すように、光源２０とこの光源２０の周囲を覆って一端側の投光開口から光を照射する反射鏡２１とをハウジング内に納めた光源部２と、一端からの光を他端側へと導光するとともに所要周面から出射する円筒状のパイプ１と、蓋３０に平面反射板３１を取り付けたものとして形成されたエンドレフレクタ３とからなるもので、光源部２にはパイプ１の一端が連結され、パイプ１の他端には連結部材４を介して他のパイプ１の一端が接続されたり、エンドレフレクタ３が取り付けられる。
【０００９】
ここにおいて、上記パイプ１はその両端が開放されたものであり、光源部２への差し込み接続部の外周面と光源部２側の嵌合口内面との間には、全周にわたってパッキン６を介在させており、またパイプ１同士の連結のために用いる筒状連結部材４とパイプ１外周との間、あるいはエンドレフレクタ３とパイプ１外周との間にも、夫々全周にわたってパッキン６を介在させて、気密的に連結させている。
【００１０】
そして光源部２においては、その投光側の開口面に配したガラス２５を浮かせた状態で保持することによって、光源２０側とパイプ１側との間に通気のための隙間２６を確保しており、さらには光源部２のハウジングには外気との間の通気を図る通気口２７を設けてある。なお、光源部２からエンドレフレクタ３に至るまでの内部空間がすべてつながっていることから、上記通気口２７は、連結部材４あるいはエンドレフレクタ３に設けるようにしてもよい。
【００１１】
通気口２７を除けば、パッキン６によって防水構造を確保できるものであり、また、通気口２７にしても、その開口方向や位置を適当に設定することで、内部への雨水の浸入を防ぐことができる。なお、内部気圧の変動を防ぐための通気口２７であるが、これは内部にごみや埃が侵入してしまうことを防ぐために、フィルター２８を備えているものを用いる。
【００１２】
また、上記パッキン６や連結部材４には、パイプ１をその軸回りに回転させることができるようにしたものを用いる。図２に示すように、内面に反射板１４を配して図中αで示す角度内でのみ外部に光を出すことができるようにしたパイプ１を用いている場合、上記回転で照射方向を変更することができる。
【００１３】
また、連結部材４としては、図３に示すように、天井面や壁面への固定のための固定部４０を備えたものであることが好ましい。エンドレフレクタ３や光源部２も同様に天井面や壁面への固定のための固定部を夫々一体に備えたものとしておいてもよい。
【００１４】
図４及び図５は図１に示した構成の具体例を示しており、通気口２７は光源部２の側面に迷路状通路を有するものとして形成することで、雨水の浸入を防止している。
【００１５】
また、光源部２は、図６に示すように、パイプ１側のフランジ１５との接続用バックル２６を解除して、本体を取付固定部材２３に対してパイプ１の軸方向である後方へスライドさせてパイプ１との嵌め合いを外せば、軸２７を中心に下方側へ回転させることができるようにすることで、光源２０の交換作業への対応を図っている。図中２８は取付固定部材２３への本体固定用の固定ピンである。
【００１６】
【発明の効果】
以上のように本発明においては、透光性を有するパイプを使用して光源からの光を遠方に導きつつその経路途中で光を徐々に放出するライトガイド型照明装置において、パイプの開放端部と光源部の開放された投光用開口部とを気密的に接合して防水構造で且つ光源部の内部空間とパイプ内部空間とが連通したものとするとともに、上記光源部はその内部空間と外部とを連通させる通気口を備えていることから、個々のパイプを密閉されたものとしなくても防水構造を得ることができる。
【００１７】
加えるに通気口の存在により内部空間の気圧変動を無くして気圧変動による応力がかかってしまうこともないものであり、しかも上記通気口はパイプの内部空間と連通する内部空間を有する光源部に設けているために、パイプの各端部毎に通気口を設けたものに比して、防水性をより確実に確保することができるものであり、殊に請求項２に記載のようにパイプを軸回りに回転させることができるようにした時にも防水性が損なわれることがないものである。
【００１８】
パイプは周方向において限定した方向に光を出射する反射板を備えたものを好適に用いることができ、この時、パイプをその軸回りに回転自在に保持しておくと、光の照射方向を施工後に変更することができる。
【図面の簡単な説明】
【図１】本発明の実施態様の一例を示す概略断面図である。
【図２】同上のパイプの横断面図である。
【図３】同上の他例の概略断面図である。
【図４】具体例の破断正面図である。
【図５】同上の通気口部分の横断面図である。
【図６】同上の光源部を示すもので、(a)は左側面図、(b)は正面図である。
【図７】従来例の概略分解断面図である。
【図８】他の従来例の概略分解断面図である。
【符号の説明】
１ パイプ
２ 光源部
６ パッキン
【図１】
0004325049.tif 000002
【図２】
0004325049.tif 000003
【図３】
0004325049.tif 000004
【図４】
0004325049.tif 000005
【図５】
0004325049.tif 000006
【図６】
0004325049.tif 000007
【図７】
0004325049.tif 000008
【図８】
0004325049.tif 000009